(57)【要約】【課題】センサー自動販売システムを提供する。【解決手段】本発明は、センサー自動販売システムに関するものであって、人の介入なしにセンサーを自動で販売することによって、ユーザがいつでもどこでも所望のセンサーを容易に購買して、センシング情報を容易に利用できて、個人化されたセンサーネットワークサービスに容易に応用可能にしたものである。【選択図】図１
2014093076.tif 000002
【特許請求の範囲】
【請求項１】
販売するセンサーと関連した情報、及びセンサーと関連したアプリケーションをダウンロードするためのＵＲＬ情報を保存するメモリと、
販売するセンサーと関連した情報を表示する表示部と、
センサー購買要請のためのユーザ操作を入力される操作部と、
販売されたセンサーを排出する排出部と、
センサー購買者が所持したユーザ移動端末から購買者情報を獲得する購買者情報獲得部と、
販売されたセンサーからセンサー識別情報を獲得するセンサー識別情報獲得部と、
センサー関連情報保存及び表示、センサー販売及び決済管理を含む装置全般を制御するが、前記購買者情報獲得部によって獲得された購買者情報と前記センサー識別情報獲得部によって獲得されたセンサー識別情報とをマッピングしてセンサー販売情報を管理する制御部と、
を含むセンサー自動販売装置を含んでなることを特徴とするセンサー自動販売システム。
【請求項２】
前記センサー自動販売装置は、
購買者情報とセンサー識別情報とがマッピングされたセンサー販売情報を販売管理サーバに伝送する通信部をさらに含むことを特徴とする請求項１に記載のセンサー自動販売システム。
【請求項３】
前記制御部は、
センサー購買者が所持したユーザ移動端末にセンサー購買代金決済のための決済インターフェースを提供し、これを通じてセンサー購買代金決済を処理することを特徴とする請求項１に記載のセンサー自動販売システム。
【請求項４】
前記制御部は、
販売されたセンサーと関連したアプリケーションをダウンロードするためのＵＲＬを含むＱＲコード（登録商標）を前記表示部を通じて表示処理することを特徴とする請求項１に記載のセンサー自動販売システム。
【請求項５】
前記制御部は、
販売されたセンサーと関連した情報提供及びセンサーと関連したアプリケーションをダウンロードするためのＵＲＬを含むＳＭＳをセンサー購買者が所持したユーザ移動端末に伝送処理することを特徴とする請求項１に記載のセンサー自動販売システム。
【請求項６】
前記制御部は、
前記通信部を通じて販売管理サーバからセンサーと関連した情報、及びセンサーと関連したアプリケーションをダウンロードするためのＵＲＬを受信して、前記メモリに保存する情報更新処理を行うことを特徴とする請求項２に記載のセンサー自動販売システム。
【請求項７】
前記センサー自動販売システムは、
センサー自動販売装置から購買者情報とセンサー識別情報とがマッピングされたセンサー販売情報を受信するセンサー販売情報受信部と、
前記センサー販売情報受信部によって受信されたセンサー販売情報を用いてセンサー販売を管理するセンサー販売管理部と、
前記センサー販売情報受信部によって受信されたセンサー販売情報に含まれた購買者情報に対応するユーザ移動端末にセンサー識別情報に対応するセンサーに対する正式ユーザ登録のための情報入力を要請するユーザ登録要請部と、
購買者情報に対応するユーザ移動端末からのセンサー識別情報に対応するセンサーに対する正式ユーザ登録のための情報入力によって、当該センサーに対する正式ユーザ登録を処理するユーザ登録部と、
を含む販売管理サーバをさらに含むことを特徴とする請求項２に記載のセンサー自動販売システム。
【請求項８】
前記販売管理サーバは、
正式ユーザ登録されたユーザ移動端末にセンサーと関連したアプリケーションを提供するアプリケーション提供部をさらに含むことを特徴とする請求項７に記載のセンサー自動販売システム。
【請求項９】
前記販売管理サーバは、
センサーと関連した情報をセンサー自動販売装置に提供するセンサー関連情報提供部をさらに含むことを特徴とする請求項７に記載のセンサー自動販売システム。
【発明の詳細な説明】
【技術分野】
【０００１】
本発明は、無人販売技術に係り、特に、センサー自動販売システムに関する。
【背景技術】
【０００２】
センサーを活用するセンサーネットワークサービスは、センサー、駆動機、センサーノード、ゲートウェイで構成されるセンサーネットワークから情報を収集し、これを当該サービスに必要な情報として加工して、ユーザに提供するサービスを意味する。
【０００３】
既存のセンサーネットワークサービスは、システム事業者によってセンサーネットワークが構築されて運用される。したがって、センサー及びセンサーノードは、一般ユーザが容易に活用しにくい環境であった。
【０００４】
センサー技術が発展し、多様なセンサーが登場することによって、個人化されたセンサーネットワークサービスが登場している。例えば、紫外線、温湿度測定センサーをユーザが直接携帯しながら日常生活に活用することができる。このような個人化されたセンサーネットワークサービスのために、以前のようにシステム事業者がセンサーネットワークを構築して運用するならば、その具現が複雑であり、不要なコストの発生を避けられない。
【０００５】
したがって、本発明者は、ユーザがいつでもどこでも所望のセンサーを容易に購買して、センシング情報を容易に利用できるように、人の介入なしにセンサーを自動で販売することができる技術についての研究を行った。
【０００６】
これと関連した技術としては、大韓民国公開特許第１０−２０１２−００９７２８５号（２０１２．０９．０３）で提示した‘携帯電話自販機’がある。
【発明の概要】
【発明が解決しようとする課題】
【０００７】
本発明は、前記課題を解決するために発明されたものであって、ユーザがいつでもどこでも所望のセンサーを容易に購買して、センシング情報を容易に利用できるように、人の介入なしにセンサーを自動で販売することができるセンサー自動販売システムを提供することをその目的とする。
【０００８】
本発明の他の目的は、正式ユーザ登録されたユーザ移動端末にセンサーと関連したアプリケーションを提供して、ユーザがいつでもどこでもセンサーを容易に利用可能なセンサー自動販売システムを提供することである。
【課題を解決するための手段】
【０００９】
前記目的を果たすための本発明の一態様によれば、センサー自動販売システムが販売するセンサーと関連した情報、及びセンサーと関連したアプリケーションをダウンロードするためのＵＲＬ情報を保存するメモリと、販売するセンサーと関連した情報を表示する表示部と、センサー購買要請のためのユーザ操作を入力される操作部と、販売されたセンサーを排出する排出部と、センサー購買者が所持したユーザ移動端末から購買者情報を獲得する購買者情報獲得部と、販売されたセンサーからセンサー識別情報を獲得するセンサー識別情報獲得部と、センサー関連情報保存及び表示、センサー販売及び決済管理を含む装置全般を制御するが、購買者情報獲得部によって獲得された購買者情報とセンサー識別情報獲得部によって獲得されたセンサー識別情報とをマッピングしてセンサー販売情報を管理する制御部と、を含むセンサー自動販売装置を含むことを特徴とする。
【００１０】
本発明の付加的な態様によれば、前記センサー自動販売装置は、購買者情報とセンサー識別情報とがマッピングされたセンサー販売情報を販売管理サーバに伝送する通信部をさらに含むことを特徴とする。
【００１１】
本発明の付加的な態様によれば、前記制御部は、センサー購買者が所持したユーザ移動端末にセンサー購買代金決済のための決済インターフェースを提供し、これを通じてセンサー購買代金決済を処理することを特徴とする。
【００１２】
本発明の付加的な態様によれば、前記制御部は、販売されたセンサーと関連したアプリケーションをダウンロードするためのＵＲＬを含むＱＲコード（登録商標）を前記表示部を通じて表示処理することを特徴とする。
【００１３】
本発明の付加的な態様によれば、前記制御部は、販売されたセンサーと関連した情報提供及びセンサーと関連したアプリケーションをダウンロードするためのＵＲＬを含むＳＭＳをセンサー購買者が所持したユーザ移動端末に伝送処理することを特徴とする。
【００１４】
本発明の付加的な態様によれば、前記制御部は、前記通信部を通じて販売管理サーバからセンサーと関連した情報、及びセンサーと関連したアプリケーションをダウンロードするためのＵＲＬを受信して、前記メモリに保存する情報更新処理を行うことを特徴とする。
【００１５】
本発明の付加的な態様によれば、前記センサー自動販売システムは、センサー自動販売装置から購買者情報とセンサー識別情報とがマッピングされたセンサー販売情報を受信するセンサー販売情報受信部と、前記センサー販売情報受信部によって受信されたセンサー販売情報を用いてセンサー販売を管理するセンサー販売管理部と、前記センサー販売情報受信部によって受信されたセンサー販売情報に含まれた購買者情報に対応するユーザ移動端末にセンサー識別情報に対応するセンサーに対する正式ユーザ登録のための情報入力を要請するユーザ登録要請部と、購買者情報に対応するユーザ移動端末からのセンサー識別情報に対応するセンサーに対する正式ユーザ登録のための情報入力によって、当該センサーに対する正式ユーザ登録を処理するユーザ登録部と、を含む販売管理サーバをさらに含むことを特徴とする。
【００１６】
本発明の付加的な態様によれば、前記販売管理サーバは、正式ユーザ登録されたユーザ移動端末にセンサーと関連したアプリケーションを提供するアプリケーション提供部をさらに含むことを特徴とする。
【００１７】
本発明の付加的な態様によれば、前記販売管理サーバは、センサーと関連した情報をセンサー自動販売装置に提供するセンサー関連情報提供部をさらに含むことを特徴とする。
【発明の効果】
【００１８】
本発明は、人の介入なしにセンサーを自動で販売することによって、ユーザがいつでもどこでも所望のセンサーを容易に購買して、センシング情報を容易に利用できて、個人化されたセンサーネットワークサービスに容易に応用することができる。
【図面の簡単な説明】
【００１９】
【図１】本発明によるセンサー自動販売システムの概要図である。
【図２】本発明によるセンサー自動販売システムのセンサー自動販売装置の一実施形態の構成を示すブロック図である。
【図３】本発明によるセンサー自動販売システムの販売管理サーバの一実施形態の構成を示すブロック図である。
【図４】本発明によるセンサー自動販売システムのセンサー販売手続きを示すフローチャートである。
【発明を実施するための形態】
【００２０】
以下、添付された図面を参照して記述される望ましい実施形態を通じて、本発明を当業者が容易に理解し、再現できるように詳しく記述する。
【００２１】
本発明を説明するに当って、関連した公知機能または構成についての具体的な説明が、本発明の実施形態の要旨を不明にする恐れがあると判断される場合には、その詳細な説明を省略する。
【００２２】
本発明の明細書の全般に亘って使われる用語は、本発明の実施形態での機能を考慮して定義された用語であって、ユーザまたは運用者の意図、慣例などによって十分に変形されうる事項であるので、この用語の定義は、本明細書の全般に亘った内容に基づいて下されなければならない。
【００２３】
図１は、本発明によるセンサー自動販売システムの概要図である。図１に示したように、本発明によるセンサー自動販売システムは、センサー自動販売装置１００と、販売管理サーバ２００と、を含んでなる。
【００２４】
センサー自動販売装置１００は、人の介入なしにセンサーを自動で販売するためのものであって、キャビネット形態のハウジングを備え、内部に販売するセンサーを内蔵し、センサー購買者によって購買されたセンサーを外部に排出し、センサー販売情報を販売管理サーバ２００に伝送することによって、ユーザがいつでもどこでも所望のセンサーを容易に購買して、センシング情報を容易に利用可能にする。
【００２５】
販売管理サーバ２００は、遠隔に設けられた少なくとも１つのセンサー自動販売装置１００とネットワーク連動されて、センサー自動販売装置１００からセンサー販売情報を受信し、販売されたセンサーに対する正式ユーザ登録を処理し、センサーと関連したアプリケーション（Ａｐｐ）を提供する。未説明符号３００は、センサーを販売するセンサー販売社サーバである。
【００２６】
これにより、本発明は、人の介入なしにセンサーを自動で販売することによって、ユーザがいつでもどこでも所望のセンサーを容易に購買し、正式ユーザ登録を通じてセンサーと関連したアプリケーションを提供されてセンサーを容易に活用することができて、個人化されたセンサーネットワークサービスに容易に応用することができる。
【００２７】
図２は、本発明によるセンサー自動販売システムのセンサー自動販売装置の一実施形態の構成を示すブロック図である。図２に示したように、本実施形態によるセンサー自動販売装置１００は、メモリ１１０と、表示部１２０と、操作部１３０と、排出部１４０と、購買者情報獲得部１５０と、センサー識別情報獲得部１６０と、制御部１７０と、を含んでなる。
【００２８】
メモリ１１０は、販売するセンサーと関連した情報を保存する。例えば、センサーと関連した情報が、センサー名、価格、センサースペックなどを含む当該センサーを広報または説明する静止画像または動画であり得る。また、センサーと関連した情報が、センサーと関連したアプリケーションをダウンロードするためのＵＲＬ情報を含むこともある。一方、センサーと関連した情報は、販売管理サーバ２００から提供されうる。
【００２９】
表示部１２０は、販売するセンサーと関連した情報を表示する。例えば、表示部１２０が、タッチパネルの形態で具現可能である。表示部１２０を通じて表示されるセンサーを広報する静止画像または動画を視聴することによって、センサーの購入を所望するセンサー購買者が、センサー名、価格、センサースペックなどのセンサーと関連した情報を獲得することができる。
【００３０】
操作部１３０は、センサー購買要請のためのユーザ操作を入力される。センサーの購入を所望するセンサー購買者は、表示部１２０を通じて表示されるセンサーを広報する静止画像または動画を視聴し、購買を所望する特定のセンサーを操作部１３０を操作して選択することによって、センサー購買を要請する。例えば、操作部１３０が、タッチパネルの形態で具現可能である。
【００３１】
排出部１４０は、販売されたセンサーを排出する。すなわち、排出部１４０は、センサー購買者が購買要請したセンサーをセンサー自動販売装置１００の外部に排出して、センサー購買者がセンサーを獲得可能にする。センサー収納、移動及び排出と関連した機械的な駆動メカニズムは、通常の無人自販機によって使われる公知の事項であるので、これについての説明は省略する。
【００３２】
購買者情報獲得部１５０は、センサー購買者が所持したユーザ移動端末から購買者情報を獲得する。例えば、購買者情報が、ユーザ移動端末から獲得可能なユーザ移動端末電話番号または決済のためのクレジットカード情報などのＵＳＩＭ情報であり得る。
【００３３】
例えば、購買者情報獲得部１５０が、ＮＦＣ（Ｎｅａｒ  Ｆｉｅｌｄ  Ｃｏｍｍｕｎｉｃａｔｉｏｎ）リーダー形態で具現されて、ユーザ移動端末から購買者情報を認識するように具現可能である。
【００３４】
センサー識別情報獲得部１６０は、販売されたセンサーからセンサー識別情報を獲得する。例えば、センサー識別情報獲得部１６０が、排出部１４０を通じて排出されるセンサーからＥＳＮ（Ｅｌｅｃｔｒｏｎｉｃ  Ｓｅｒｉａｌ  Ｎｕｍｂｅｒ）などのセンサー識別情報を獲得するように具現可能である。
【００３５】
例えば、センサー識別情報獲得部１６０が、ＲＦＩＤリーダー形態で具現されて、販売されるセンサーに付着されたＲＦＩＤタグ（Ｔａｇ）を認識することによって、センサーからセンサー識別情報を獲得するように具現可能である。
【００３６】
制御部１７０は、センサー関連情報保存及び表示、センサー販売及び決済管理を含む装置全般を制御するが、購買者情報獲得部１５０によって獲得された購買者情報とセンサー識別情報獲得部１６０によって獲得されたセンサー識別情報とをマッピングしてセンサー販売情報を管理する。
【００３７】
例えば、制御部１７０は、センサー購買者が所持したユーザ移動端末にセンサー購買代金決済のための決済インターフェースを提供し、これを通じてセンサー購買代金決済を処理するように具現可能である。例えば、決済インターフェースが、クレジットカード決済インターフェースまたは携帯電話少額決済インターフェースまたはオンライン口座振込み決済インターフェースのうち何れか１つであり得る。
【００３８】
これとは異なって、制御部１７０が、ＮＦＣを利用した交通カード決済方式のように、決済インターフェースを通じるユーザ入力なしに購買者情報獲得部１５０によって獲得された購買者情報を用いて、直接決済を行うように具現されることもある。
【００３９】
すなわち、本発明によるセンサー自動販売装置１００は、表示部１２０を通じて表示されるセンサーと関連した情報を視聴したセンサー購買者が操作部１３０を通じてセンサー購買要請のためのユーザ操作を入力すれば、制御部１７０が、センサー購買代金決済を要請する。
【００４０】
センサー購買代金決済のために、購買者情報獲得部１５０を通じてユーザ移動端末とネットワーク連結されて、ユーザ移動端末から購買者情報が獲得され、制御部１７０が、決済承認要請情報をＶＡＮ網で送信して決済処理する。
【００４１】
決済が承認されれば、制御部１７０が、排出部１４０を通じて販売されたセンサーを排出する。この際、センサー識別情報獲得部１６０によって販売されたセンサーからセンサー識別情報が獲得され、制御部１７０が、購買者情報獲得部１５０によって獲得された購買者情報とセンサー識別情報獲得部１６０によって獲得されたセンサー識別情報とをマッピングしてセンサー販売情報を管理する。センサー販売情報は、今後販売管理サーバ２００に伝送されて管理される。
【００４２】
このように具現することによって、本発明は、人の介入なしにセンサーを自動で販売することによって、ユーザがいつでもどこでも所望のセンサーを容易に購買することができるので、センサーを個人化されたセンサーネットワークサービスに容易に応用することができる。
【００４３】
一方、発明の付加的な態様によれば、センサー自動販売装置１００は、通信部１８０をさらに含みうる。通信部１８０は、購買者情報とセンサー識別情報とがマッピングされたセンサー販売情報を販売管理サーバ２００に伝送する。
【００４４】
センサー自動販売装置１００から購買者情報とセンサー識別情報とがマッピングされたセンサー販売情報を受信した販売管理サーバ２００は、販売されたセンサーに対する正式ユーザ登録を処理し、センサーと関連したアプリケーションを提供する。これについては後述する。
【００４５】
一方、発明の付加的な態様によれば、制御部１７０は、販売されたセンサーと関連したアプリケーションをダウンロードするためのＵＲＬを含むＱＲコード（登録商標）を表示部１２０を通じて表示処理するように具現可能である。
【００４６】
この際、センサーと関連したアプリケーションが、センサーを駆動して結果を表示するか、センサー動作をシミュレーションまたはセンサーを利用した個人化されたサービスを提供するためのソフトウェアであり得る。一方、センサーと関連したアプリケーションをダウンロードするためのＵＲＬは、販売管理サーバ２００のＵＲＬまたは各センサーを販売するセンサー販売社サーバ３００のＵＲＬに基づいて生成されうる。
【００４７】
そうすると、センサー購買者が、ユーザ移動端末を通じてＱＲコード（登録商標）をスキャンして、センサーと関連したアプリケーションをダウンロードするためのＵＲＬを獲得し、該獲得されたＵＲＬに接近して、センサーと関連したアプリケーションをダウンロードして実行することによって、センサーを駆動して結果を表示するか、センサー動作をシミュレーションすることができる。
【００４８】
一方、発明の付加的な態様によれば、制御部１７０は、販売されたセンサーと関連した情報を提供するＵＲＬを含むＳＭＳをセンサー購買者が所持したユーザ移動端末に伝送処理するように具現されることもある。
【００４９】
この際、センサーと関連した情報が、センサー名、価格、センサースペックなどを含む静止画像または動画であり得る。また、センサーと関連した情報が、センサーと関連したアプリケーションをダウンロードするためのＵＲＬ情報を含むこともある。一方、センサーと関連した情報を提供するＵＲＬは、販売管理サーバ２００のＵＲＬまたは各センサーを販売するセンサー販売社サーバ３００のＵＲＬに基づいて生成されうる。
【００５０】
そうすると、センサー購買者が、ユーザ移動端末に伝送されたＳＭＳを閲覧して、センサーと関連した情報を提供するＵＲＬを確認し、当該ＵＲＬに接続してセンサーと関連した情報を確認することによって、センサー購買者が購入したセンサーと関連した情報を獲得することができる。
【００５１】
一方、発明の付加的な態様によれば、制御部１７０は、通信部１８０を通じて販売管理サーバ２００からセンサーと関連した情報、及びセンサーと関連したアプリケーションをダウンロードするためのＵＲＬ情報を受信して、メモリ１１０に保存する情報更新処理を行うように具現可能である。
【００５２】
これにより、センサー自動販売装置１００が、センサー名、価格、センサースペックなどを含む当該センサーを広報または説明する静止画像または動画のようなセンサーと関連した情報、及びセンサーと関連したアプリケーションをダウンロードするためのＵＲＬ情報を販売管理サーバ２００から受信してアップデートすることができる。
【００５３】
図３は、本発明によるセンサー自動販売システムの販売管理サーバの一実施形態の構成を示すブロック図である。図３に示したように、本実施形態による販売管理サーバ２００は、センサー販売情報受信部２１０と、センサー販売管理部２２０と、ユーザ登録要請部２３０と、ユーザ登録部２４０と、を含んでなる。
【００５４】
センサー販売情報受信部２１０は、センサー自動販売装置１００から購買者情報とセンサー識別情報とがマッピングされたセンサー販売情報を受信する。すなわち、センサー自動販売装置１００によってセンサーが販売されることによって、伝送される購買者情報とセンサー識別情報とがマッピングされたセンサー販売情報は、センサー販売情報受信部２１０を通じてセンサー自動販売装置１００から受信される。
【００５５】
センサー販売管理部２２０は、センサー販売情報受信部２１０によって受信されたセンサー販売情報を用いてセンサー販売を管理する。センサー販売情報受信部２１０によって受信されたセンサー販売情報には、購買者情報とセンサー識別情報とがマッピングされているので、センサー販売情報受信部２１０を通じて収集されたセンサー販売情報をセンサー販売管理部２２０が分析して、如何なるセンサーが如何なる購買者にどれほど売れたかに対する販売現況を把握し、これを保存することによって、センサー販売を管理することができる。
【００５６】
ユーザ登録要請部２３０は、センサー販売情報受信部２１０によって受信されたセンサー販売情報に含まれた購買者情報に対応するユーザ移動端末にセンサー識別情報に対応するセンサーに対する正式ユーザ登録のための情報入力を要請する。
【００５７】
例えば、ユーザ登録要請部２３０は、センサー販売情報に含まれた購買者情報に対応するユーザ移動端末にセンサー識別情報に対応するセンサーに対する正式ユーザ登録を要請するＳＭＳなどを伝送し、ＳＭＳを確認した購買者がユーザ移動端末を用いて販売管理サーバ２００に接続して正式ユーザ登録過程を行うことによって、センサー購買者が購買したセンサーに対する正式ユーザ登録がなされるように具現可能である。
【００５８】
この際、ユーザ登録要請部２３０は、ユーザ移動端末に正式ユーザ登録のための情報入力のためのユーザインターフェースを提供するように具現可能である。例えば、正式ユーザ登録のための情報が、ランダムな認証番号や公認認証書などであり得る。
【００５９】
この場合、ユーザ登録要請部２３０は、ユーザ移動端末にランダムな認証番号を伝送し、ユーザ移動端末を通じて認証番号を受信したセンサー購買者は、ユーザ移動端末を通じて提供されるユーザインターフェースを通じて受信した認証番号を入力することによって、正式ユーザ登録のための情報が入力されうる。
【００６０】
ユーザ登録部２４０は、購買者情報に対応するユーザ移動端末からのセンサー識別情報に対応するセンサーに対する正式ユーザ登録のための情報入力によって、当該センサーに対する正式ユーザ登録を処理する。
【００６１】
例えば、ユーザ登録部２４０は、ユーザ登録要請部２３０を通じて伝送した認証番号と、ユーザ移動端末から入力された認証番号とを比較して、同一である場合、当該センサーに対する正式ユーザ登録を認証するように具現可能である。この際、ユーザ認証は、別途の公認認証センターを通じて行われることもある。
【００６２】
これとは異なって、センサー購買者が、購買したセンサーに対する正式ユーザ登録を販売管理サーバ２００で行わず、各センサー販売社サーバ３００で行われるように具現されることもある。
【００６３】
このように具現することによって、本発明は、販売管理サーバ２００を通じてセンサー自動販売装置１００によって無人販売されたセンサーに対する販売管理及びセンサー自動販売装置１００によって無人販売されたセンサーを購買した購買者に対する正式ユーザ登録を行うことができる。
【００６４】
一方、発明の付加的な態様によれば、販売管理サーバ２００は、アプリケーション提供部２５０をさらに含みうる。アプリケーション提供部２５０は、正式ユーザ登録されたユーザ移動端末にセンサーと関連したアプリケーションを提供する。一方、アプリケーション提供部２５０が、センサーと関連したアプリケーションをダウンロードするためのＵＲＬ情報をセンサー自動販売装置１００に提供して、メモリ１１０で情報更新処理が行われるように具現されることもある。
【００６５】
例えば、センサーと関連したアプリケーションが、センサーを駆動して結果を表示するか、センサー動作をシミュレーションまたはセンサーを利用した個人化されたサービスを提供するためのソフトウェアであり得る。
【００６６】
例えば、センサー購買者が、ユーザ移動端末を通じてセンサー自動販売装置１００の表示部１２０を通じて表示されるセンサーと関連したアプリケーションをダウンロードするためのＵＲＬを含むＱＲコード（登録商標）をスキャンして接続すれば、センサー購買者が、正式ユーザ登録されたか否かを確認し、正式ユーザ登録された場合、アプリケーション提供部２５０を通じて正式ユーザ登録されたユーザ移動端末にセンサーと関連したアプリケーションを提供するように具現可能である。
【００６７】
一方、発明の付加的な態様によれば、販売管理サーバ２００は、センサー関連情報提供部２６０をさらに含みうる。センサー関連情報提供部２６０は、センサーと関連した情報をセンサー自動販売装置１００に提供する。例えば、センサーと関連した情報が、センサー名、価格、センサースペックなどを含む当該センサーを広報または説明する静止画像または動画であり得る。
【００６８】
センサー関連情報提供部２６０からセンサーと関連した情報を受信したセンサー自動販売装置１００は、メモリ１１０にセンサーと関連した情報を保存し、表示部１２０を通じて販売するセンサーと関連した情報を表示して、購買者がセンサーと関連した情報を視聴可能にする。
【００６９】
前述した本発明によるセンサー自動販売システムのセンサー販売手続きを図４を参照して説明する。図４は、本発明によるセンサー自動販売システムのセンサー販売手続きを示すフローチャートである。
【００７０】
まず、段階４１０で、センサー自動販売装置が、センサーと関連した情報を表示して、センサーと関連した情報をセンサー購買者が視聴可能にする。センサーと関連した情報及びその表示と関連しては、あらかじめ説明したので、重複説明は省略する。
【００７１】
センサーと関連した情報を視聴したセンサー購買者が、センサー購買を所望する場合、段階４２０で、センサー購買者の操作によって、センサー自動販売装置が、センサー購買要請のためのユーザ入力を受ける。
【００７２】
そうすると、段階４３０で、センサー自動販売装置が、センサー購買代金決済を処理する。例えば、センサー自動販売装置が、ＮＦＣなどの方式でユーザ移動端末から購買者情報を獲得し、センサー購買者が所持したユーザ移動端末にセンサー購買代金決済のための決済インターフェースを提供して、これを通じてセンサー購買者から決済情報を入力されて決済承認要請情報をＶＡＮ網で送信して、決済処理するように具現可能である。
【００７３】
これとは異なって、センサー自動販売装置が、ＮＦＣを利用した交通カード決済方式のように、決済インターフェースを通じるユーザ入力なしに獲得された購買者情報を用いて、直接決済を行うように具現されることもある。
【００７４】
センサー購買代金決済が完了すれば、段階４４０で、センサー自動販売装置が、販売されたセンサーからセンサー識別情報を獲得し、段階４５０で、センサー自動販売装置が、販売されたセンサーを排出して、センサー購買者がセンサーを獲得する。センサー識別情報獲得と関連しては、あらかじめ説明したので、重複説明は省略する。
【００７５】
そして、段階４６０で、センサー自動販売装置が、購買者情報とセンサー識別情報とをマッピングしてセンサー販売情報を生成させ、段階４７０で、センサー自動販売装置が、センサー販売情報を販売管理サーバに伝送する。
【００７６】
そうすると、センサー自動販売装置からセンサー販売情報を受信した販売管理サーバが、段階４８０で、購買者が購買したセンサーに対する正式ユーザ登録を行う。購買者が購買したセンサーに対する正式ユーザ登録と関連しては、あらかじめ説明したので、重複説明は省略する。
【００７７】
購買者が購買したセンサーに対する正式ユーザ登録が完了すれば、段階４９０で、販売管理サーバが、センサー購買者のユーザ移動端末にセンサーと関連したアプリケーションを提供する。センサーと関連したアプリケーション及びその提供と関連しては、あらかじめ説明したので、重複説明は省略する。
【００７８】
したがって、このように具現することによって、本発明は、人の介入なしにセンサーを自動で販売することによって、ユーザがいつでもどこでも所望のセンサーを容易に購買することができて、センサーを個人化されたセンサーネットワークサービスに容易に応用することができるので、前記で提示した本発明の目的を果たすことができる。
【００７９】
本発明は、添付した図面によって参照される望ましい実施形態を中心に記述されたが、このような記載から後述する特許請求の範囲によって包括される範囲内で、本発明の範疇を外れずに多様な変形が可能であるということは明白である。
【産業上の利用可能性】
【００８０】
本発明は、センサー自動販売システム関連の技術分野に適用可能である。
【図１】
2014093076.tif 000003
【図２】
2014093076.tif 000004
【図３】
2014093076.tif 000005
【図４】
2014093076.tif 000006